【手続補正書】
【提出日】平成21年8月24日(2009.8.24)
【手続補正１】
【補正対象書類名】明細書
【補正対象項目名】特許請求の範囲
【補正方法】変更
【補正の内容】
【特許請求の範囲】
【請求項１】
ハイパーリンク形式に基づくデータを解析して画像処理装置が処理可能な出力データを画像処理装置に出力する情報処理装置であって、
前記ハイパーリンク形式に基づくデータ中のリンク先を判断し同一イメージデータがあるかどうかを判断する判断手段と、
前記判断手段により同一イメージデータがあると判断された場合に、該同一イメージデータが複数使用されることを示す情報を前記出力データに付加する付加手段と、
前記画像処理装置に出力すべき出力データが既に転送した同一イメージデータかどうかを判別する判別手段と、
前記判別手段により同一イメージデータであると判別された場合に、該同一イメージデータが前記画像処理装置に対して重複出力とならないように前記出力データの転送を制御する制御手段と、
を有することを特徴とする情報処理装置。
【請求項２】
前記制御手段は、前記画像処理装置から受け取る転送済みの同一イメージデータの再送要求に応じて、複数使用されることを示す情報を付加して該イメージデータを含む出力データを前記画像処理装置に対して再送することを特徴とする請求項１記載の情報処理装置。
【請求項３】
情報処理装置から出力データを受信して処理する画像処理装置であって、
前記出力データを解析して同一イメージデータが複数使用されることを示す情報が付加されているかどうかを判断する判断手段と、
前記判断手段により同一イメージデータが複数使用されることを示す情報が付加されていると判断した場合に、前記情報処理装置から出力される同一イメージデータをメモリ上にキャッシュするキャッシュ手段と、
を有することを特徴とする画像処理装置。
【請求項４】
前記メモリが不足状態または残り容量が定められた一定値以下状態かどうかを判定するメモリ判定手段と、
前記メモリ判定手段により前記メモリが不足状態または残り容量が定められた一定値以下状態であると判定された場合に、前記メモリ上にキャッシュされているイメージデータを削除する第１の削除手段と、
前記第１の削除手段によるイメージデータの削除後、該削除したイメージデータの再送を前記情報処理装置に要求する再送要求手段と、
を有することを特徴とする請求項３記載の画像処理装置。
【請求項５】
前記出力データに付加されている複数使用されることを示す情報に基づき、出力される同一イメージデータのリンク数をカウントするカウント手段と、
前記カウント手段によりカウントされたリンク数回分の画像処理終了後、キャッシュされていた同一イメージデータを前記メモリより削除する第２の削除手段と、
を有することを特徴とする請求項３記載の画像処理装置。
【請求項６】
情報処理装置よりハイパーリンク形式の出力データを受信して処理する画像処理装置であって、
前記出力データ中からイメージデータを除いた出力データを先にダウンロードする第１のダウンロード手段と、
前記情報処理装置よりイメージデータをダウンロードする第２のダウンロード手段と、
前記第１のダウンロード手段によりダウンロードされた出力データを解析して、前記第２のダウンロード手段がダウンロードしようとしているイメージデータが複数回リンクされたイメージデータかどうかを判断する判断手段と、
前記判断手段により複数回リンクされているイメージデータであると判断した場合に、前記第２のダウンロード手段により前記情報処理装置からダウンロードされるイメージデータをメモリにキャッシュするキャッシュ手段と、
前記判断手段により複数回リンクされているイメージデータであると判断した場合に、前記第２のダウンロード手段により重複して同一イメージデータをダウンロードしないようにダウンロード処理を制御する制御手段と、
を有することを特徴とする画像処理装置。
【請求項７】
前記メモリが不足状態または残り容量が定められた一定値以下状態かどうかを判定するメモリ判定手段と、
前記メモリ判定手段により前記メモリが不足状態または残り容量が定められた一定値以下状態であると判定された場合に、前記メモリ上にキャッシュされているイメージデータを削除する第１の削除手段と、
を有することを特徴とする請求項６記載の画像処理装置。
【請求項８】
前記第１のダウンロード手段によりダウンロードされた出力データを解析して、前記第２のダウンロード手段がダウンロードしようとしているイメージデータのリンク数をカウントするカウント手段と、
前記カウント手段によるカウントされたリンク数回分の画像処理終了後、前記メモリにキャッシュされていたイメージデータを削除する第２の削除手段と、
を有することを特徴とする請求項７記載の画像処理装置。
【請求項９】
ハイパーリンク形式に基づくデータを解析して画像処理装置が処理可能な出力データを画像処理装置に出力する情報処理装置におけるデータ処理方法であって、
前記ハイパーリンク形式に基づくデータ中のリンク先を判断し同一イメージデータがあるかどうかを判断する判断ステップと、
前記判断ステップにより同一イメージデータがあると判断された場合に、該同一イメージデータが複数使用されることを示す情報を前記出力データに付加する付加ステップと、
前記画像処理装置に出力すべき出力データが既に転送した同一イメージデータかどうかを判別する判別ステップと、
前記判別ステップにより同一イメージデータであると判別された場合に、該同一イメージデータが前記画像処理装置に対して重複出力とならないように前記出力データの転送を制御する制御ステップと、
を有することを特徴とするデータ処理方法。
【請求項１０】
前記制御ステップは、前記画像処理装置から受け取る転送済みの同一イメージデータの再送要求に応じて、複数使用されることを示す情報を付加して該イメージデータを含む出力データを前記画像処理装置に対して再送することを特徴とする請求項９記載のデータ処理方法。
【請求項１１】
情報処理装置から出力データを受信して処理する画像処理装置におけるデータ処理方法であって、
前記出力データを解析して同一イメージデータが複数使用されることを示す情報が付加されているかどうかを判断する判断ステップと、
前記判断ステップにより同一イメージデータが複数使用されることを示す情報が付加されていると判断した場合に、前記情報処理装置から出力される同一イメージデータをメモリ上にキャッシュするキャッシュステップと、
を有することを特徴とするデータ処理方法。
【請求項１２】
前記メモリが不足状態または残り容量が定められた一定値以下状態かどうかを判定するメモリ判定ステップと、
前記メモリ判定ステップにより前記メモリが不足状態または残り容量が定められた一定値以下状態であると判定された場合に、前記メモリ上にキャッシュされているイメージデータを削除する第１の削除ステップと、
前記第１の削除ステップによるイメージデータの削除後、該削除したイメージデータの再送を前記情報処理装置に要求する再送要求ステップと、
を有することを特徴とする請求項１１記載のデータ処理方法。
【請求項１３】
前記出力データに付加されている複数使用されることを示す情報に基づき、出力される同一イメージデータのリンク数をカウントするカウントステップと、
前記カウントステップによるカウントされたリンク数回分の画像処理終了後、キャッシュされていた同一イメージデータを前記メモリより削除する第２の削除ステップと、
を有することを特徴とする請求項１１記載のデータ処理方法。
【請求項１４】
情報処理装置よりハイパーリンク形式の出力データを受信して処理する画像処理装置におけるデータ処理方法であって、
前記出力データ中からイメージデータを除いた出力データを先にダウンロードする第１のダウンロードステップと、
前記情報処理装置よりイメージデータをダウンロードする第２のダウンロードステップと、
前記第１のダウンロードステップによりダウンロードされた出力データを解析して、前記第２のダウンロードステップがダウンロードしようとしているイメージデータが複数回リンクされたイメージデータかどうかを判断する判断ステップと、
前記判断ステップにより複数回リンクされているイメージデータであると判断した場合に、前記第２のダウンロードステップにより前記情報処理装置からダウンロードされるイメージデータをメモリにキャッシュするキャッシュステップと、
前記判断ステップにより複数回リンクされているイメージデータであると判断した場合に、前記第２のダウンロードステップにより重複して同一イメージデータをダウンロードしないようにダウンロード処理を制御する制御ステップと、
を有することを特徴とするデータ処理方法。
【請求項１５】
前記メモリが不足状態または残り容量が定められた一定値以下状態かどうかを判定するメモリ判定ステップと、
前記メモリ判定ステップにより前記メモリが不足状態または残り容量が定められた一定値以下状態であると判定された場合に、前記メモリ上にキャッシュされているイメージデータを削除する第１の削除ステップと、
を有することを特徴とする請求項１４記載のデータ処理方法。
【請求項１６】
前記第２のダウンロードステップは、前記メモリ上にキャッシュされていたイメージデータを再ダウンロードすることを特徴とする請求項１４記載のデータ処理方法。
【請求項１７】
前記第１のダウンロードステップによりダウンロードされた出力データを解析して、前記第２のダウンロードステップがダウンロードしようとしているイメージデータのリンク数をカウントするカウントステップと、
前記カウントステップによるカウントされたリンク数回分の画像処理終了後、前記メモリにキャッシュされていたイメージデータを削除する第２の削除ステップと、
を有することを特徴とする請求項１６記載のデータ処理方法。
【請求項１８】
請求項９乃至１７のいずれか１項に記載のデータ処理方法をコンピュータに実行させるためのプログラムを格納したことを特徴とする記憶媒体。